(57)【要約】      （修正有）【課題】経年変化がしずらく、天井カバーの先端部が同じ状態を保って、隙間が生じない目地装置を提供する。【解決手段】建物３，３の開口部６の壁面に両端部がそれぞれ取付けられた中央枢支部９を有する伸縮リンク機構１０、中央枢支部９にそれぞれ枢支された壁パネル取付支柱１２にそれぞれ取付けられ、伸縮リンク機構１０が隙間が生じないように重なって覆う壁パネル１３とからなる一対の壁用目地装置４と天井部分を覆う天井用目地装置５とからなる目地装置１において、一対の壁用目地装置４の壁パネル取付支柱１２上部に突出するＬ字状の天井杆支持アーム１６と、枢支された天井杆１８と、取り付けられた垂直取付部材２２、下端部より下部外方へ傾斜するように一体形成された支持部材２３、内方へ折り曲げられ、垂直取付部材２２の位置がほぼ中央部に位置するように突出し、天井部分を覆うカバーパネル２４とからなる天井カバー１９とで構成した。【選択図】図２
2015071908.tif 000002
【特許請求の範囲】
【請求項１】
目地部を介して設けられた左右の建物の、開口部の両端部の壁面に両端部がそれぞれ取付けられた少なくとも２対以上の複数個の中央枢支部を有するパンタグラフ形状の伸縮リンク機構、この少なくとも２対以上の伸縮リンク機構の複数個の中央枢支部にそれぞれ枢支された壁パネル取付支柱、この壁パネル取付支柱にそれぞれ取付けられた、前記２対以上の伸縮リンク機構が伸縮しても隙間が生じないように先端部が重なって覆う複数個の壁パネルとからなる一対の壁用目地装置と、この一対の壁用目地装置間の天井部分を覆う天井用目地装置とからなる目地装置において、前記天井用目地装置は前記一対の壁用目地装置の壁パネル取付支柱の上部に、前記壁パネルより外側の上部に突出するようにそれぞれ取付けられたＬ字状の複数個の天井杆支持アーと、この複数個の天井杆支持アームの対応する部分の天井杆支持アームに両端部が枢支された複数個の天井杆と、この複数個の天井杆にそれぞれ取り付けられた垂直取付部材、この垂直取付部材の下端部より下部外方へ傾斜するように一体形成された支持部材、この支持部材の下端部より内方へ折り曲げられ、前記垂直取付部材の位置がほぼ中央部に位置するように突出し、隣りと重なり合う前記一対の壁用目地装置間の天井部分を覆うカバーパネルとからなる複数個の天井カバーとで構成したことを特徴とする目地装置。
【発明の詳細な説明】
【技術分野】
【０００１】
本発明は目地部を介して設けられた左右の建物を接続する部分の、一対の側壁部分および天井部分を覆う目地装置に関する。
【背景技術】
【０００２】
従来、この種の目地装置は天井用目地装置に先端部が重なり合うＬ字状の複数個の天井カバーを用いて構成していた。
このため、経年変化により複数個の天井カバーの先端部が自重により下がり、隙間が生じるとともに、見苦しくなるという欠点があった。
【先行技術文献】
【特許文献】
【０００３】
【特許文献１】特許第４９７６９８１号公報
【発明の概要】
【発明が解決しようとする課題】
【０００４】
本発明は以上のような従来の欠点に鑑み、経年変化がしずらく、長期間、複数個の天井カバーの先端部がたわむことなく同じ状態を保って、隙間が生じたり、見苦しくなることのない複数個の天井カバーを用いた天井用目地装置を使用した目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の、開口部の両端部の壁面に両端部がそれぞれ取付けられた少なくとも２対以上の複数個の中央枢支部を有するパンタグラフ形状の伸縮リンク機構、この少なくとも２対以上の伸縮リンク機構の複数個の中央枢支部にそれぞれ枢支された壁パネル取付支柱、この壁パネル取付支柱にそれぞれ取付けられた、前記２対以上の伸縮リンク機構が伸縮しても隙間が生じないように先端部が重なって覆う複数個の壁パネルとからなる一対の壁用目地装置と、この一対の壁用目地装置間の天井部分を覆う天井用目地装置とからなる目地装置において、前記天井用目地装置は前記一対の壁用目地装置の壁パネル取付支柱の上部に、前記壁パネルより外側の上部に突出するようにそれぞれ取付けられたＬ字状の複数個の天井杆支持アーと、この複数個の天井杆支持アームの対応する部分の天井杆支持アームに両端部が枢支された複数個の天井杆と、この複数個の天井杆にそれぞれ取り付けられた垂直取付部材、この垂直取付部材の下端部より下部外方へ傾斜するように一体形成された支持部材、この支持部材の下端部より内方へ折り曲げられ、前記垂直取付部材の位置がほぼ中央部に位置するように突出し、隣りと重なり合う前記一対の壁用目地装置間の天井部分を覆うカバーパネルとからなる複数個の天井カバーとで構成したことを特徴とする目地装置を構成している。
【発明の効果】
【０００７】
以上の説明から明らかなように、本発明にあっては次に列挙する効果が得られる。
（１）請求項１により、天井用目地装置に垂直取付部材、支持部材およびカバーパネルとからなる複数個の天井カバーを用いているので、経年変化によって曲がるのを阻止でき、従来の天井カバーのように先端部の自重によって、経年変化によって曲がり、隙間が生じたり、見苦しくなったりするのを防止することができる。
【０００８】
すなわち、天井カバーのカバーパネルの先端部が自重によって下方へ下がろうとするが、傾斜の支持部材によって、該カバーパネルの先端部を上方へ押し上げるような自重が加わるため、カバーパネルがほぼ水平状態を保てるからである。
（２）前記（１）によって、天井カバーの天井杆への取付けは垂直取付部材で行なうが、該垂直取付部材はカバーパネルのほぼ中央部に位置するため、従来のように一方に突出するだけのものに比べ、該カバーパネルを水平状態で、楽に取付けることができる。
（３）前記（１）により、一対の壁用目地装置の壁パネル取付支柱に天井用目地装置が取付けられているので、一対の壁用目地装置と連動させて天井用目地装置を動かすことができ、損傷を効率よく防止することができるとともに、側壁と天井面を、隙間が生じることなく効率よく覆うことができる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の壁パネルを取り外した状態の壁用目地装置の説明図。
【図５】本発明を実施するための第１の形態の天井杆支持アームの説明図。
【図６】本発明を実施するための第１の形態の天井杆に取付けた天井カバーの正面図。
【図７】本発明を実施するための第１の形態の天井杆に取付けた天井カバーの側面図。
【図８】本発明を実施するための第１の形態の地震で目地部が狭くなった状態の説明図。
【図９】本発明を実施するための第１の形態の地震で目地部が広くなった状態の説明図。
【図１０】本発明を実施するための第２の形態の平面図。
【図１１】図１０の１１−１１線に沿う断面図。
【図１２】本発明を実施するための第２の形態の天井杆に取付けた天井カバーの正面図。
【図１３】本発明を実施するための第３の形態の平面図。
【図１４】図１３の１４−１４線に沿う断面図。
【図１５】本発明を実施するための第３の形態の天井杆に取付けた天井カバーの正面図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の建物３、３間を接続する渡り通路等に設置される一対の側壁部分を覆う一対の側壁用目地装置４、４および天井部分を覆う天井用目地装５を備えた本発明の目地装置で、この目地装置１の一対の側壁用目地装置４、４は前記左右の建物３、３に形成された接続するために形成された開口６、６の両側の躯体７、７の外壁あるいは内壁面にヒンジ部材８、８、８、８を介して取付けられた少なくとも２対で、かつ複数個、本実施例では５個の中央枢支部９、９、９、９、９が形成されたパンタグラフ形状の伸縮リンク機構１０、１０、１０、１０と、この少なくとも２対以上の伸縮リンク機構１０、１０、１０、１０の複数個の中央枢支部９、９、９、９、９にそれぞれ枢支ピン１１、１１でそれぞれ枢支された壁パネル取付支柱１２、１２、１２、１２、１２と、この壁パネル取付支柱１２、１２、１２、１２、１２に後端部が溶接や複数本のタッピングビス等で固定され、先端部が隣りのものと重なり合う一端部より他端部へ取り付けた複数個の壁パネル１３、１３、１３、１３、１３と、この複数個の壁パネル１３、１３、１３、１３、１３のうちの最後に壁パネル取付支柱１２に取付ける壁パネル１３側の躯体７に固定された固定壁パネル１４とで構成されている。
【００１２】
なお、この固定壁パネル１４と最後に壁パネル取付支柱１２に取付ける壁パネル１３とを一体に形成したものを使用してもよい。
また、壁パネル取付支柱１２、１２、１２、１２、１２に取付けられる壁パネル１３は地震での目地部が広くなったり、狭くなったりする揺れ動きを吸収できる取付け方、例えば中央部より両端部へ重なり合うように取付けたり、両端部より中央部へ重なり合うように取付けても良い。
【００１３】
前記天井用目地装置５は前記一対の側壁用目地装置４、４の壁パネル取付支柱１２、１２、１２、１２、１２、１２、１２、１２、１２、１２の上部に、前記壁パネル１３、１３、１３、１３、１３、１３、１３、１３、１３、１３より外側の上部に突出するようにそれぞれ取付けられた、水平板１６ａおよび支柱１６ｂによりＬ字状に形成され、該支柱１６ｂの先端部が枢支軸１５となる複数個の天井杆支持アーム１６、１６、１６、１６、１６、１６、１６、１６、１６、１６と、この複数個の天井杆支持アーム１６、１６、１６、１６、１６、１６、１６、１６、１６、１６の対応する部分の枢支軸１５、１５に両端部の枢支ピン挿入孔１７、１７が枢支された角パイプを用いた複数個の天井杆１８、１８、１８、１８、１８と、この複数個の天井杆１８、１８、１８、１８、１８に固定的あるいは上方へ移動できるように遊びをもって取付けられた先端部が重なり合い、かつ隙間なく複数個の壁パネル１３、１３、１３、１３、１３上に位置する複数個の天井カバー１９、１９、１９、１９、１９と、この複数個の天井カバー１９、１９、１９、１９、１９の両端部の天井カバー１９、１９と左右の躯体７、7間の隙間を覆う、該左右の躯体７、７に固定された固定天井カバー２０、２０と、前記天井杆１８、１８、１８、１８、１８の枢支ピン挿入孔１７、１７に挿入された枢支軸１５、１５の上部にそれぞれ該天井杆１８、１８、１８、１８、１８が地震時に目地部２が狭くなった場合に上方へ移動できるように遊びを介して固定あるいは天井杆１８、１８、１８、１８、１８が上方へ移動できないように固定されたストッパー１５ａとで構成されている。
【００１４】
前記複数個の天井カバー１９、１９、１９、１９、１９は、図６および図７に示すように前記天井杆１８に複数本のビス２１等で固定的あるいは上方へ移動できるように遊びをもって取付けられる垂直取付部材２２と、この垂直取付部材２２の下端部より約１３５度の傾斜で下部外方へ突出するように一体形成された支持部材２３と、この支持部材２３の下端部より約４５度内側へほぼ水平に曲げ、かつその中央部が前記垂直取付部材２２が位置するカバーパネル２４とでほぼ片持ちハンガー状に形成されている。
【００１５】
このように構成された天井カバー１９、１９、１９、１９、１９は支持部材２３とカバーパネル２４の自重は垂直取付部材２２の下端部Ａ点を中心にして矢印Ｂ方向に加わり、カバーパネル２４の自重は支持部材２３の下端部Ｃ点を中心にして矢印Ｄ方向に加わるため、カバーパネル２４の先端部は矢印Ｂ方向と矢印Ｄ方向の力で相殺され、ほぼ水平状態を保つことができる。
【００１６】
なお、前記左右の建物３、３に形成した開口６、６の床部分は地震で目地部が狭くなつたり、広くなつても 、その揺れ動きを吸収することができる既存の床用目地装置２５が設けられている。
【００１７】
上記構成の目地装置１は地震で左右の建物３、３間の目地部２が狭くなるように揺れ動くと、図８に示すように一対の側壁用目地装置４、４の少なくとも２対の伸縮リンク機構１０、１０、１０、１０が収縮して壁パネル１３、１３、１３、１３、１３の重なり幅を大きくして、その揺れ動きを吸収するとともに、少なくとも２対の伸縮リンク機構１０、１０、１０、１０の収縮によって天井用目地装置５の複数個の天井杆１８、１８、１８、１８、１８の間隔も小さくなるため、複数個の天井カバー１９、１９、１９、１９、１９の重なり幅が大きくなって、その揺れ動きを吸収する。
【００１８】
また、地震で左右の建物３、３間の目地部２が広くなるように揺れ動くと、図９に示すように一対の側壁用目地装置４、４の少なくとも２対の伸縮リンク機構１０、１０、１０、１０が伸長して壁パネル１３、１３、１３、１３、１３の重なり幅を小さくして、その揺れ動きを吸収するとともに、少なくとも２対の伸縮リンク機構１０、１０、１０、１０の伸長によって、天井用目地装置５の複数個の天井杆１８、１８、１８、１８、１８の間隔が広くなるため、複数個の天井カバー１９、１９、１９、１９、１９の重なり幅が小さくなって、その揺れ動きを吸収する。
【００１９】
なお、複数個の天井カバー１９、１９、１９、１９、１９はほぼ片持ちハンガー状に形成されているため、自重によって水平状態のカバーパネル２４の先端部が下方へ曲がったりするのを効率よく防止することができる。
【００２０】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１０ないし図１２に示す本発明を実施するための第２の形態において、前記本発明を実施するための第１の形態と主に異なる点は、支持部材２３とカバーパネル２４の折り曲げ部に垂直部２６を設けた天井カバー１９Ａを用いた天井用目地装置５Ａを用いた点で、このような天井カバー１９Ａを用いて構成した目地装置１Ａにしても、前記本発明を実施するための第１の形態と同様な作用効果が得られる。
【００２２】
図１３ないし図１５に示す本発明を実施するための第３の形態において、前記本発明を実施するための第１の形態と主に異なる点は、天井杆１８に取付けることができる先端部をアングル状に曲げた垂直取付部材２２Ａにした天井カバー１９Ｂを使用した天井用目地装置５Ｂを用いた点で、このような天井カバー１９Ｂを用いて構成した目地装置１Ｂにしても、前記本発明を実施するための第１の形態と同様な作用効果が得られる。
【００２３】
なお、前記本発明の各実施の形態では天井杆１８、１８、１８、１８、１８が地震時に目地部２が狭くなった場合に上方へ移動できるように取付けたものについて説明したが、本発明はこれに限らず、天井杆１８、１８、１８、１８、１８を上方へ移動できないように取付け、この天井杆１８、１８、１８、１８、１８に対して、天井カバー１９、１９、１９、１９、１９の垂直取付部材２２に形成される複数個のビス孔を長孔や大きくしたものを用いることで、上方へ移動できるように取付けても良い。また、地震時の揺れ動きの幅が小さく設定されている場合には、天井杆１８、１８、１８、１８、１８や天井カバー１９、１９、１９、１９、１９を上方へ移動できないように取付けても良い。
【００２４】
さらに、地震時の揺れ動きによって、建物側に位置する天井カバー１９が建物の躯体に衝突するような場合には該部のＬ字状の天井杆支持アーム１６の上端部が目地部の中央部方向に向くように壁パネル取付支柱１２に取り付けても良い。
【００２５】
また、一対の側壁用目地装置４、４の壁パネル１３の上面と天井用目地装置５の天井カバー１９との間に生ずる隙間には壁パネル１３の上面にクッション材製のシール材を取り付けることにより、完全に密封することができる。
【産業上の利用可能性】
【００２６】
本発明は目地部を介して設けられた左右の建物を接続する部分の、一対の側壁部分および天井部分を覆う目地装置を製造する産業で利用される。
【符号の説明】
【００２７】
１、１Ａ、１Ｂ：目地装置、  ２：目地部、
３：建物、        ４：側壁用目地装置、
５、５Ａ、５Ｂ：天井用目地装置、  
６：開口、        ７：躯体、
８：ヒンジ部材、      ９：中央枢支部、
１０：伸縮リンク機構、    １１：枢支ピン、
１２：壁パネル取付支柱、    １３：壁パネル、
１４：固定壁パネル、    １５：枢支軸、
１６：天井杆支持アーム、    １７：枢支ピン挿入孔、
１８：天井杆、      １９、１９Ａ、１９Ｂ：天井カバー、
２０：固定天井カバー、    ２１：タッピングビス、
２２、２２Ａ：垂直取付部材、  ２３：支持部材、
２４：カバーパネル、    ２５：床用目地装置、
２６：垂直部。
【図１】
2015071908.tif 000003
【図２】
2015071908.tif 000004
【図３】
2015071908.tif 000005
【図４】
2015071908.tif 000006
【図５】
2015071908.tif 000007
【図６】
2015071908.tif 000008
【図７】
2015071908.tif 000009
【図８】
2015071908.tif 000010
【図９】
2015071908.tif 000011
【図１０】
2015071908.tif 000012
【図１１】
2015071908.tif 000013
【図１２】
2015071908.tif 000014
【図１３】
2015071908.tif 000015
【図１４】
2015071908.tif 000016
【図１５】
2015071908.tif 000017